(57)【特許請求の範囲】
【請求項１】
ケース内にデジタルカメラを実装した携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、通話着信時に応答指示が入力された場合には、当該入力操作に連動して前記蓋開閉機構により前記蓋を閉じさせることを特徴とする携帯電話機。
【請求項２】
ケース内にデジタルカメラを実装した携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、メール着信時に内容確認指示が入力された場合には、当該入力操作に連動して前記蓋開閉機構により前記蓋を閉じさせることを特徴とする携帯電話機。
【請求項３】
ケース内にデジタルカメラを実装した折り畳み式の携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、折り畳まれたことが検出された場合には、当該動作の検出に連動して前記蓋開閉機構により前記蓋を閉じさせることを特徴とする携帯電話機。
【請求項４】
ケース内にデジタルカメラを実装した携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、前記デジタルカメラによる撮像時に当該操作に連動して、前記蓋開閉機構により前記蓋を一旦閉じさせた後、再び前記蓋を開かせることを特徴とする携帯電話機。
【請求項５】
前記蓋は、前記ケースと異なる色にしたことを特徴とする請求項１乃至４のいずれかに記載の携帯電話機。
【発明の詳細な説明】
【０００１】
【発明の属する技術分野】
本発明は、デジタルカメラを実装した携帯電話機に関し、特にケースにカメラ窓を設け、ケース内部に設けられたデジタルカメラからカメラ窓を通して被写体の撮像を行う携帯電話機に関する。
【０００２】
【従来の技術】
近年、携帯電話機は、インターネット接続機能、メール機能が装備されていることが一般になってきており、さらに、デジタルカメラを実装して被写体を撮像できるカメラ機能まで装備されるようになってきた。
【０００３】
【発明が解決しようとする課題】
しかしながら、従来技術では、実装されたデジタルカメラのレンズに覆いが無く、常にデジタルカメラのレンズが露出した状態（外部から見える状態）であるため、カメラ使用時以外でもデジタルカメラのレンズが汚れたり、傷ついたりするという問題点があると共に、携帯電話機を操作している操作者以外の周りの人が、携帯電話機に実装されたデジタルカメラでこっそり撮影されているのではないかという不安感を抱いてしまうという問題点があった。
【０００４】
本発明は斯かる問題点を鑑みてなされたものであり、その目的とするところは、カメラ使用時以外にレンズが汚れたり、傷ついたりするのを防止することができ、操作者以外の周りの人にこっそり撮影されているのではないかという不安感を与えることがない携帯電話機を提供する点にある。
【０００５】
【課題を解決するための手段】
本発明は上記課題を解決すべく、以下に掲げる構成とした。
請求項１記載の発明の要旨は、ケース内にデジタルカメラを実装した携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、通話着信時に応答指示が入力された場合には、当該入力操作に連動して前記蓋開閉機構により前記蓋を閉じさせることを特徴とする携帯電話機に存する。
また請求項２記載の発明の要旨は、ケース内にデジタルカメラを実装した携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、メール着信時に内容確認指示が入力された場合には、当該入力操作に連動して前記蓋開閉機構により前記蓋を閉じさせることを特徴とする携帯電話機に存する。
また請求項３記載の発明の要旨は、ケース内にデジタルカメラを実装した折り畳み式の携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、折り畳まれたことが検出された場合には、当該動作の検出に連動して前記蓋開閉機構により前記蓋を閉じさせることを特徴とする携帯電話機に存する。
また請求項４記載の発明の要旨は、ケース内にデジタルカメラを実装した携帯電話機であって、
前記デジタルカメラのレンズを覆う蓋と、
該蓋を開閉させる蓋開閉機構と、
前記デジタルカメラの動作開始指示に基づいて前記蓋開閉機構により前記蓋を開かせると共に、前記デジタルカメラの動作終了指示に基づいて前記蓋開閉機構により前記蓋を閉じさせる制御を行う蓋開閉制御手段とを具備することを特徴とし、
前記蓋開閉制御手段は、前記デジタルカメラによる撮像時に当該操作に連動して、前記蓋開閉機構により前記蓋を一旦閉じさせた後、再び前記蓋を開かせることを特徴とする携帯電話機に存する。
また請求項５記載の発明の要旨は、前記蓋は、前記ケースと異なる色にしたことを特徴とする請求項１乃至４のいずれかに記載の携帯電話機に存する。
【０００６】
【発明の実施の形態】
以下、本発明の実施の形態を図面に基づいて詳細に説明する。
【０００７】
（第１の実施の形態）
図１は、本発明に係る携帯電話機の第１の実施の形態の外観を示す斜視図であり、（ａ）は、折畳式携帯電話１が開いた状態を示し、（ｂ）は、折畳式携帯電話１が折り畳まれた状態を受話部２側から見た状態を示す。図２は、図１に示す蓋開閉機構の構成を示す図であり、（ａ）は、正面図であり、（ｂ）は、断面図である。
【０００８】
第１の実施の形態の折畳式携帯電話１は、受話部２と、送話部３とからなり、ヒンジユニット２０で回動一体化されている。なお、折畳式携帯電話１を折り畳んだ時に内側になる面を正面側とし、折り畳んだ時に外側になる面を裏面側とする。
【０００９】
受話部２は、正面側を形成する受話部フロントケース１１と、裏面側を形成する受話部リアケース１２とで構成され、受話部フロントケース１１には、受話音穴１８と、正面表示窓１７とが設けられている。正面表示窓１７は、受話部フロントケース１１の中央部に設けられており、正面表示窓１７を通して受話部２内に設けられたＬＣＤを見ることができる。また、受話部リアケース１２側には、カメラ窓２１が形成され、さらにカメラ窓２１を蓋３０で覆うための蓋開閉機構が設けられている。カメラ窓２１は、デジタルカメラ２３のレンズとして機能する。
【００１０】
受話部リアケース１２に設けられた蓋開閉機構は、図２を参照すると、蓋３０を摺動可能に保持するレール３１ａ、３１ｂと、蓋３０の一部に取り付けられているラック部３２と、蓋３０を電動で開閉するためのモータ４０と、モータ４０の位置決めを行うモータ保持部４１と、モータシャフト４２と、モータシャフト４２に取り付けられているギア４３とからなる。
【００１１】
カメラ窓２１を開閉する蓋３０は、レール３１ａおよびレール３１ｂにより図２（ａ）に矢印で示す左右方向への摺動可能に保持され、蓋３０に取り付けられているラック部３２には、直線状の歯が形成されている。蓋３０を電動で開閉するためのモータ４０は、当該ラック部３２の歯とギア４３の歯とがかみ合うように、モータ保持部４１により位置決め固定されている。なお、モータ４０の固定には、両面テープ等を用いると良い。また、第１の実施の形態では、蓋３０とラック部３２とを別構成としたが、蓋３０とラック部３２とを一体構成にしても良い。
【００１２】
モータ４０のモータシャフト４２を通してギア４３を回転させると、蓋３０のラック部３２の歯とギア４３の歯とがかみ合い、回転動作を蓋３０の摺動動作に変換する。図２（ａ）において、蓋３０が実線で描かれている位置が開いた状態を示し、蓋３０が２点鎖線で描かれている位置が閉まった状態を示す。なお、図２（ｂ）において、２３は、カメラ窓２１に相対する位置に設けられているデジタルカメラ２３であり、２２は、デジタルカメラ２３を取り付ける回路基板２２である。
【００１３】
送話部３は、正面側を形成する送話部フロントケース１３と、裏面側を形成する送話部リアケース１４と、電源１５と、キーボード１６とで構成される。送話部フロントケース１３には、送話音穴１９が設けられている。
【００１４】
次に、第１の実施の形態の制御動作に係る構成について図３を参照して詳細に説明する。
図３は、本発明に係る携帯電話機の第１の実施の形態の構成を示すブロック図である。
【００１５】
第１の実施の形態は、基地局との間で電波を送受信するアンテナ部６１および無線部６２と、基地局から受信した電波を音声信号に変換すると共に音声信号を電波に変換して基地局に送信する音声処理部６３と、音声を音声信号に変換するマイク６４と、音声信号を音声として出力するスピーカー６５と、通話着信およびメール着信を知らせる報知音を出力するブザー６８と、通話着信およびメール着信を知らせる振動を発生させるＶＩＢモータ６９と、ブザー６８またはＶＩＢモータ６９を鳴動させる報知部６７と、キーボード１６等からなるキー操作入力部７０と、表示部７２の表示出力を制御する表示制御部７１、ＬＣＤ等で構成された表示部７２と、キー操作入力部７０等から入力された各種情報を管理するデータ管理部７３、データ管理部７３の制御下にあり、相手の電話番号や氏名などの情報を格納するメモリ部７４と、デジタルカメラ２３により被写体を静止画もしくは動画で撮像するカメラ部７６と、カメラ制御部７５の指示により蓋３０を開閉する蓋開閉機構を駆動する蓋駆動部７７と、カメラ部７６および蓋駆動部７７を制御するカメラ制御部７５と、報知部６７、キー操作入力部７０、表示制御部７１およびカメラ制御部７５を制御する制御部６６とからなる。
【００１６】
次に、第１の実施の形態の動作について図４を参照して詳細に説明する。
図４は、本発明に係る携帯電話機の第１の実施の形態の蓋開閉動作を説明するためのフローチャートである。
【００１７】
操作者が、折り畳み携帯電話を開いてキー操作入力部７０からカメラ動作開始の指示を行うと（ステップ１）、カメラ制御部７５は、キー操作入力部７０から制御部６６を通してカメラ使用開始指示情報を受け取り、カメラ制御部７５に蓋３０を開くように指示を行い、カメラ制御部７５は、蓋駆動部７７を動かし、蓋３０を開く（ステップ２）。
【００１８】
次に、カメラ制御部７５は、蓋３０を開いたことを制御部６６を通して表示制御部７１に通知し、表示制御部７１は、蓋３０が操作者に開いていることを通知する開マークを表示部７２に表示する（ステップ３）。また、カメラ制御部７５は、カメラ部７６に電源を供給し、カメラ動作を開始し（ステップ４）、被写体を撮像することができる撮像可能状態になる（ステップ５）。
【００１９】
被写体を撮像後、操作者がキー操作入力部７０からカメラ動作終了の指示を行うと（ステップ６）、カメラ制御部７５は、キー操作入力部７０から制御部６６を通してカメラ使用終了指示情報を受け取り、カメラ制御部７５に蓋３０を閉める指示を行い、カメラ制御部７５は、蓋駆動部７７を動かし、蓋３０を閉める（ステップ７）。
【００２０】
次に、カメラ制御部７５は、蓋３０を閉めたことを制御部６６を通して表示制御部７１に通知し、表示制御部７１は、開マークを表示部７２から消去する（ステップ８）、また、カメラ制御部７５は、カメラ部７６に電源の供給を停止し、カメラ動作を終了する（ステップ９）。
【００２１】
ステップ５の撮像可能状態に、通話着信があると（ステップ１０）、制御部６６は、アンテナ部６１および無線部６２を通して着信要求を受信し、表示制御部７１に相手先情報の表示を指示し、表示制御部７１は、表示部７２に相手先情報を表示する（ステップ１１）。また、制御部６６は、キー操作入力部７０から通話着信への応答指示が入力されるか否かを判断し（ステップ１２）、キー操作入力部７０から通話着信への応答指示が入力された場合には、ステップ７に至って蓋３０を閉じてカメラ動作を終了させ、通話状態に移行する。キー操作入力部７０から通話着信への応答指示が入力されなかった場合（応答指示が無く着信要求が終了した場合）には、ステップ５に至り撮像可能状態になる。
【００２２】
ステップ５の撮像可能状態に、メール着信があると（ステップ１３）、制御部６６は、アンテナ部６１および無線部６２を通してメール着信を認識し、表示制御部７１に相手先情報の表示を指示し、表示制御部７１は、表示部７２に相手先情報を表示する（ステップ１４）。また、制御部６６は、キー操作入力部７０から着信したメールの内容を確認する内容確認指示もしくはメール内容を確認しない内容不確認指示のいずれが入力されるかを判断し（ステップ１５）、キー操作入力部７０から内容確認指示が入力された場合には、ステップ７に至って蓋３０を閉じてカメラ動作を終了させ、メール内容を表示する。キー操作入力部７０から内容不確認指示が入力された場合には、ステップ５に至り撮像可能状態になる。
【００２３】
ステップ５の撮像可能状態に、図示しない折り畳み検出部により受話部２と送話部３とが折り畳まれたことが検出されると、ステップ７に至って蓋３０を閉じてカメラ動作を終了させる（ステップ１６）。
【００２４】
また、蓋３０の開閉によって撮像されたことを被写体に知らせることができる。すなわち、ステップ５の撮像可能状態に、キー操作入力部７０から撮像指示があると、カメラ部７６で被写体が撮像され（ステップ１７）、撮像された撮像情報は、カメラ制御部７５、制御部６６、表示制御部７１を通り、表示部７２に表示されると共に、制御部６６からデータ管理部７３を通り、メモリ部７４内に格納されるが、カメラ制御部７５は、撮像終了後、カメラ制御部７５に蓋３０を一旦閉めて開ける閉開指示を行い、カメラ制御部７５は、蓋駆動部７７を動かし、蓋３０を一旦閉めて開け（ステップ１８、１９）、再びステップ５に至り撮像可能状態になる。
【００２５】
さらに、蓋３０の色を、受話部リアケース１２およびカメラ窓２１とは、異なる色にすると、操作者以外の周りの人が蓋３０が開いていて撮影可能状態にあるか、蓋３０が閉じていて撮影不可能状態にあるかを簡単に認識できる。
【００２６】
以上説明したように、本実施の形態によれば、カメラ窓２１を覆う蓋３０が状況に応じて開閉されるように構成したため、カメラ使用時以外にレンズが汚れたり、傷ついたりするのを防止することができ、操作者以外の周りの人にこっそり撮影されているのではないかという不安感を与えることがないという効果を奏する。
【００２７】
（第２の実施の形態）
次に、第１の実施の形態と蓋開閉機構の構成が異なる第２の実施の形態について図５を参照して詳細に説明する。
図５は、本発明に係る携帯電話機の第２の実施の形態の蓋開閉機構の構成を示す図であり、（ａ）は、正面図であり、（ｂ）は、断面図である。
【００２８】
第２の実施の形態は、蓋３０をモータ４０のモータシャフト４２に直接固定させ、モータ４０の回転動作により蓋３０を回転移動させてカメラ窓２１を開閉させる点で第１の実施の形態とは異なる。また、蓋３０の回転移動をガイドするレール３１の形状は、蓋３０のモータシャフト４２に固定されていない解放端部が移動する軌跡に応じて円弧状に形成されている。図５（ａ）において、蓋３０が実線で描かれている位置が開いた状態を示し、蓋３０が２点鎖線で描かれている位置が閉まった状態を示す。
【００２９】
（第３の実施の形態）
次に、第１および第２の実施の形態と蓋開閉機構の構成が異なる第３の実施の形態について図６を参照して詳細に説明する。
図６は、本発明に係る携帯電話機の第３の実施の形態の蓋開閉機構の構成を示す図であり、（ａ）は、正面図であり、（ｂ）は、断面図である。
【００３０】
第３の実施の形態の蓋開閉機構は、蓋３０の開閉動作を電磁ソレノイド５０で行う点で第１の実施の形態とは異なる。すなわち、電磁ソレノイド５０により摺動する鉄心５２と係合する係合部３３を蓋３０に設け、係合部３３を引っ張りバネ５５により電磁ソレノイド５０の反対から引っ張る構成とする。電磁ソレノイド５０は、ソレノイド保持部５１により位置決め固定されていると共に、引っ張りバネ５５の係合部３３と係合していないもう一方の他端は、バネ固定ピン５６に固定されている。
【００３１】
蓋３０は、電磁ソレノイド５０が駆動されていない状態では、係合部３３が引っ張りバネ５５により引っ張られ、蓋３０が閉じた状態になり、電磁ソレノイド５０が駆動されると、係合部３３が鉄心５２により引っ張りバネ５５の張力に抗して電磁ソレノイド５０側に引っ張られ、蓋３０が開いた状態になる。図６（ａ）において、蓋３０が実線で描かれている位置が開いた状態を示し、蓋３０が２点鎖線で描かれている位置が閉まった状態を示す。
【００３２】
なお、本発明が上記各実施形態に限定されず、本発明の技術思想の範囲内において、各実施形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００３３】
【発明の効果】
本発明の携帯電話機は、カメラ窓を覆う蓋が状況に応じて開閉されるように構成したため、カメラ使用時以外にレンズが汚れたり、傷ついたりするのを防止することができ、操作者以外の周りの人にこっそり撮影されているのではないかという不安感を与えることがないという効果を奏する。
【図面の簡単な説明】
【図１】本発明に係る携帯電話機の第１の実施の形態の外観を示す斜視図であり、（ａ）は、折畳式携帯電話が開いた状態を示し、（ｂ）は、折畳式携帯電話が折り畳まれた状態を受話部側から見た状態を示す。
【図２】図１に示す蓋開閉機構の構成を示す図であり、（ａ）は、正面図であり、（ｂ）は、断面図である。
【図３】本発明に係る携帯電話機の第１の実施の形態の構成を示すブロック図である。
【図４】本発明に係る携帯電話機の第１の実施の形態の蓋開閉動作を説明するためのフローチャートである。
【図５】本発明に係る携帯電話機の第２の実施の形態の蓋開閉機構の構成を示す図であり、（ａ）は、正面図であり、（ｂ）は、断面図である。
【図６】本発明に係る携帯電話機の第３の実施の形態の蓋開閉機構の構成を示す図であり、（ａ）は、正面図であり、（ｂ）は、断面図である。
【符号の説明】
１  折畳式携帯電話
２  受話部
３  送話部
１１  受話部フロントケース
１２  受話部リアケース
１３  送話部フロントケース
１４  送話部リアケース
１５  電源
１６  キーボード
１７  正面表示窓
１８  受話音穴
１９  送話音穴
２０  ヒンジユニット
２１  カメラ窓
２２  回路基板
２３  デジタルカメラ
３０  蓋
３１、３１ａ、３１ｂ  レール
３２  ラック部
３３  係合部
４０  モータ
４１  モータ保持部
４２  モータシャフト
４３  ギア
５０  電磁ソレノイド
５１  ソレノイド保持部
５２  鉄心
５５  引っ張りバネ
５６  バネ固定ピン
６１  アンテナ部
６２  無線部
６３  音声処理部
６４  マイク
６５  スピーカー
６６  制御部
６７  報知部
６８  ブザー
６９  ＶＩＢモータ
７０  キー操作入力部
７１  表示制御部
７２  表示部
７３  データ管理部
７４  メモリ部
７５  カメラ制御部
７６  カメラ部
７７  蓋駆動部
【図１】
0003686860.tif 000002
【図２】
0003686860.tif 000003
【図３】
0003686860.tif 000004
【図４】
0003686860.tif 000005
【図５】
0003686860.tif 000006
【図６】
0003686860.tif 000007